(57)【要約】【課題】優れた冷房効果を具えた空調送風機を提供する。【解決手段】主にパネル１、冷気送風機２により構成する。該パネルは送風口１、循環風口１１を設置する。該冷気送風機は該パネルの送風口上に設置し、該冷気送風機は蒸発器２０、ファン２１を具える。該ファン位置において出風口２１０を設置し、該出風口は該パネルの送風口に対応する。こうして該冷気送風機の蒸発器は近い距離の空気を直接吸入し、冷気を形成し、さらに迅速に、該ファンを通して該送風口により強力に冷気を吹き出す。【選択図】図１
2004019960.tif 000002
【特許請求の範囲】
【請求項１】
主にパネル、冷気送風機により構成し、
該パネルは送風口、循環風口を設置し、
該冷気送風機は該パネルの送風口上に設置し、該冷気送風機は蒸発器、ファンを具え、該ファン位置において出風口を設置し、該出風口は該パネルの送風口に対応し、
こうして該冷気送風機の蒸発器は循環風口から近い距離の空気を直接吸入し、冷気を形成し、さらに迅速に、該ファンを通して該送風口により強力に冷気を吹き出すことを特徴とする冷房効果を具えた空調送風機。
【請求項２】
主にパネル、冷気送風機により構成し、
該パネルは送風口、循環風口を設置し、
該冷気送風機は該パネルの送風口上に設置し、該冷気送風機は蒸発器、ファンを具え、該ファン位置において出風口を設置し、該出風口は該パネルの送風口に対応し、
出風カバーは該冷気送風機に設置し、該出風カバー上には少なくとも一個の通孔を開設し、
循環風カバーは該パネルの循環風口上に設置し、該循環風カバー上には少なくとも一個の通孔を開設し、該出風カバーの通孔と該循環風カバーの通孔間にはダクトを設置して接続し、
こうして該冷気送風機の蒸発器は該循環風口より空気を吸入し、冷気を形成し、さらに迅速に、該ファンを通して該送風口により強力に冷気を吹き出すことを特徴とする冷房効果を具えた空調送風機。
【請求項３】
主にパネル、冷気送風機により構成し、
該パネルは送風口、循環風口を設置し、
該冷気送風機は該パネルの送風口上に設置し、該冷気送風機は蒸発器、ファンを具え、該ファン位置において出風口を設置し、該出風口は該パネルの送風口に対応し、
循環風カバーは該パネルの循環風口及び該冷気送風機上に設置し、
こうして該冷気送風機の蒸発器は該循環風口より直接空気を吸入し、冷気を形成し、さらに迅速に、該ファンを通して該送風口により強力に冷気を吹き出すことを特徴とする冷房効果を具えた空調送風機。
【請求項４】
主に送風口を具えたパネル、循環風口を具えたパネル、冷気送風機を含み、
該冷気送風機は該送風口を具えたパネル上に設置し、該冷気送風機は蒸発器、ファンを具え、該ファン位置において出風口を設置し、該出風口は該パネルの送風口に対応し、
該二種のパネルを天井の軽鉄骨フレーム両側にそれぞれ設置し、該冷気送風機は該循環風口より直接空気を吸入し、さらに、該蒸発器により冷気を形成し、該送風口より強力に吹き出し、こうして、室内の空気は対流を形成し、優れた冷房効果を達成することを特徴とする冷房効果を具えた空調送風機。
【発明の詳細な説明】
【０００１】
【発明の属する技術分野】
本発明は一種の優れた冷房効果を具えた空調送風機に関する。特に一種のパネル、冷気送風機により構成し、該冷気送風機の蒸発器は近い距離の空気を直接吸入し、冷気を形成し、さらに迅速に、該ファンを通して該送風口により強力に冷気を吹き出す優れた冷房効果を具えた空調送風機に係る。
【０００２】
【従来の技術】
一般に、天井に設置する中央空調システムの多くは、室内機付近に出風口パネルを設置する。該出風口パネルの出風口はダクトにより各室内機に接続し、冷気は出風口より送出される。該出風口パネル付近には循環風口の循環風パネルを設置し、室内の熱気を管を通じて室外機に排出する。
上記公知の空調システムでは出風装置と循環風装置を別に設置するため、それぞれ室内機と室外機を接続し、しかもダクトを接続し冷気を導入することにより、初めて出風口から送出され、室内に冷気が均一に送出される。さらに、室内天井上の出風口パネルは様々な位置に分布する必要があるため、ダクト接続の距離は長くなる。このため、冷気はダクト内で長短色々な距離の移動を行う。よって、送風される冷気は元の均一な温度を保持することはできず、冷房効果も均一ではない。
【０００３】
【発明が解決しようとする課題】
上記公知構造の欠点を解決するため、本発明は優れた冷房効果を具えた空調送風機の提供を課題とする。
それは、送風口、循環風口を具えたパネル及び冷気送風機により構成し、冷気送風機の蒸発器は直接循環風口により空気を吸入し、冷気を形成し、送風ファンにより迅速に冷気を出風口より吹き出し、良好な冷房効果を達成することができる。
【０００４】
【課題を解決するための手段】
上記課題を解決するため、本発明は下記の優れた冷房効果を具えた空調送風機を提供する。
それは主にパネル、冷気送風機により構成し、該パネルは送風口、循環風口を設置する。該冷気送風機は該パネルの送風口上に設置し、該冷気送風機は蒸発器、ファンを具え、該ファン位置において出風口を設置し、該出風口は該パネルの送風口に対応する。
またそれは主にパネル、冷気送風機により構成し、該パネルは送風口、循環風口を設置する。該冷気送風機は該パネルの送風口上に設置し、該冷気送風機は蒸発器（エバポレータ）、ファンを具え、該ファン位置において出風口を設置し、該出風口は該パネルの送風口に対応する。出風カバーは該冷気送風機に設置し、該出風カバー上には少なくとも一個の通孔を開設する。循環風カバーは該パネルの循環風口上に設置し、該循環風カバー上には少なくとも一個の通孔を開設する。該出風カバーの通孔と該循環風カバーの通孔間にはダクトを設置し接続する。さらにそれは、主にパネル、冷気送風機により構成し、該パネルは送風口、循環風口を設置する。該冷気送風機は該パネルの送風口上に設置し、該冷気送風機は蒸発器、ファンを具え、該ファン位置において出風口を設置し、該出風口は該パネルの送風口に対応する。循環風カバーは該パネルの循環風口及び該冷気送風機上に設置する。
また別にそれは、主に送風口を具えたパネル、循環風口を具えたパネル、冷気送風機を含み、該冷気送風機は該送風口を具えたパネル上に設置する。該冷気送風機は蒸発器、ファンを具え、該ファン位置において出風口を設置し、該出風口は該パネルの送風口に対応する。
【０００５】
【発明の実施の形態】
図１、２、３、４が示すように、本発明は主にパネル１、冷気送風機２により構成する。
該パネル１は送風口１０、循環風口１１を設置する。該送風口１０内には自動的に方向転換を行なう調整羽１００を設置する。該循環風口１１内にはめくり開けることができるフィルターフレーム板１１０を設置する。
該冷気送風機２は該パネル１の送風口１０上に設置し、該冷気送風機２には蒸発器２０、ファン２１、該ファン２１の運転を駆動するモーター２２、定位板２３を設置する。該蒸発器２０には入口管２００及び出口管２０１を設置し、該ファン２１位置において出風口２１０を設置する。該出風口２１０は該パネル１の送風口１０に対応し、該ファン２１は片側のモーター２２の駆動を受け回転する。
該冷風送風機２の両側の適当な位置には、それぞれ長孔２３０を具えた定位板２３を設置し、該定位板２３は階と階の間のコンクリート３上に予め設置してあるボルト３０においてナット３１によりねじ止めし、定位する。
【０００６】
本発明の装置時には、先ず該ボルト３０を該冷風送風機２両側の定位板２３長孔２３０に対応し穿通し、該ナット３１によりねじ止めし（図２参照）、該冷風送風機２を該階と階の間のコンクリート３上に設置し定位する。さらに、該冷風送風機２のファン２１の出風口２１０は該パネル１の送風口１０に対応して設置し、定位する（図３、４参照）。
こうして、該冷風送風機２の蒸発器２０は該循環風口１１より、近い距離の空気を直接吸入し、冷気を形成する。さらに迅速に、回転するファン２１及び該出風口２１０により強力に送出する（図４参照）。該パネル１の送風口１０内に設置する自動揺動の調整羽１００は冷気をさらに均一に吹き出す。
【０００７】
次に図５、６、７が示すように、本発明の第二実施例では送風口１０及び循環風口１１を具えたパネル１を設置し、該送風口１０内には調整羽１００を設置する。該循環風口１１内にはめくり上げることができるフィルターフレーム板１１０を設置する。
冷気送風機２は該パネル１の送風口１０上に設置し、該冷気送風機２は蒸発器２０、モーター２２に回転を駆動されるファン２１、長孔２３０を具えた定位板２３を設置する。該ファン２１は出風口２１０を設置し、該パネルの送風口１０に対応する。
【０００８】
出風カバー４は該冷気送風機２に蓋設する。該出風カバー４上には少なくとも一個の通孔４０を開設する。該通孔４０上にはダクト接続台４１を設置し、該ダクト接続台４１上には嵌合縁４１０を設置する。これにより、ダクト６は迅速に組合せ、位置決めされる。該出風カバー４の両側にはそれぞれ嵌合部品４２を設置し、ちょうど該冷気送風機２両側の嵌合部品２４と対応して嵌合し、固定される。
循環風カバー５は該パネル１の循環風口１１上に設置し、該循環風カバー５上には少なくとも一個の通孔５０を開設する。該通孔５０上にはダクト接続台５１を設置し、該ダクト接続台５１上には嵌合縁５１０を設置する。該出風カバー４の通孔４０と該循環風カバー５の通孔５０間にはダクト６を設置し接続する。かつ、該ダクト６は該ダクト接続台４１、５１の嵌合縁４１０、５１０により迅速に嵌設、定位される。
こうして、該冷気送風機２は直接該パネル１の循環風口１１により空気を吸入し冷気を形成する。さらに、回転するファン２１の強力な吹き出しにより、冷気は該パネル１の送風口１０より均一に吹き出され、優れた冷房効果を達成する。
【０００９】
続いて図８、９、１０が示すように、本発明の第三実施例では送風口１０及び循環風口１１を具えたパネル１を設置し、該送風口１０内には調整羽１００を設置する。該循環風口１１内にはフィルターフレーム板１１０を設置する。
冷気送風機２は該パネル１の送風口１０上に設置し、該冷気送風機２は蒸発器２０、ファン２１、モーター２２、定位板２３及び嵌合部品２４により構成する。該ファン２１の出風口２１０は該パネル１の送風口１０に対応する。
循環風カバー７は該冷気送風機２及び該パネル１の循環風口１１に設置する。該循環風カバー７両側にはそれぞれ嵌合部品７０を設置し、該冷気送風機２両側の嵌合部品２４は対応して嵌設する。
こうして、該冷気送風機２は該パネル１の循環風口１１より直接空気を吸入し、冷気を形成する。さらに、回転するファン２１及び送風口１０により、冷気は強力かつ均一に吹き出される。
【００１０】
さらに、図１１が示すように、本発明の第四実施例では送風口８０を具えたパネル８を設置し、冷気送風機２と組み合わせる。該冷気送風機２は蒸発器２０、ファン２１を具え、該送風口８０内には自動的に方向転換を行なう調整羽８００を設置する。
別に循環風口９０を具えたパネル９も設置し、該循環風口９０内にはめくり上げることのできるフィルター板９００を設置する。
上記二種のパネル８、９を天井の軽鉄骨フレーム両側にそれぞれ設置し、該冷気送風機２は該循環風口９０より直接空気を吸入する。さらに、該蒸発器２０により冷気を形成し、該送風口８０より強力に吹き出す。こうして、室内の空気は対流を形成し、優れた冷房効果を達成する。
【００１１】
【発明の効果】
上記のように、本発明は送風口、循環風口を具えたパネル及び冷気送風機により構成し、冷気送風機の蒸発器は直接循環風口により空気を吸入し、冷気を形成し、風を運ぶファンにより迅速に冷気を出風口より吹き出し、良好な冷房効果を達成することができる。
【図面の簡単な説明】
【図１】本発明のパネル及び冷気送風機の立体分解図である。
【図２】本発明冷気送風機フレームを階と階の間のコンクリートに設置する様子を示す指示図である。
【図３】本発明第一実施例の組合せ立体図である。
【図４】本発明第一実施例の断面指示図である。
【図５】本発明第二実施例の立体分解図である。
【図６】本発明第二実施例の組合せ立体図である。
【図７】本発明第二実施例の断面指示図である。
【図８】本発明第三実施例の立体分解図である。
【図９】本発明第三実施例の組合せ立体図である。
【図１０】本発明第三実施例の断面指示図である。
【図１１】本発明第四実施例の構造及び組合せ設置指示図である。
【符号の説明】
１　パネル
１０　送風口
１００　調整羽
１１　循環風口
１１０　フィルターフレーム板
２　冷気送風機
２０　蒸発器
２００　入口管
２０１　出口管
２１　ファン
２１０　出風口
２２　モーター
２３　定位板
２３０　長孔
２４　嵌合部品
３　階と階の間のコンクリート
３０　ボルト
３１　ナット
４　送風カバー
４０　通風孔
４１　ダクト接続台
４１０　嵌合縁
４２　嵌合部品
５　循環風カバー
５０　通孔
５１　ダクト接続台
５１０　嵌合縁
６　ダクト
７　循環風カバー
７０　嵌合部品
８　パネル
８０　送風口
８００　調整羽
９　パネル
９０　循環風口
９００　フィルター板
【図１】
2004019960.tif 000003
【図２】
2004019960.tif 000004
【図３】
2004019960.tif 000005
【図４】
2004019960.tif 000006
【図５】
2004019960.tif 000007
【図６】
2004019960.tif 000008
【図７】
2004019960.tif 000009
【図８】
2004019960.tif 000010
【図９】
2004019960.tif 000011
【図１０】
2004019960.tif 000012
【図１１】
2004019960.tif 000013